(57)【要約】      （修正有）【課題】水分を自動的に検知し、確実に排水し、かつ不純物を効率よく除去して気圧制御用メーターの正確度を維持できる気圧制御用メーターの水分排出装置を提供する。【解決手段】蓄水室１２を具えるハウジングと、ハウジングの蓄水室に対応する位置に設け、底部に排気孔２１を形成した電磁バルブと、ハウジングの収容部１１に内設し、電磁バルブに連動する検知手段３と、を含む。蓄水室内にフィルター１５を設けるとともに、蓄水室の一端にフィルターを封止するフィルター洗浄カバー１６を設ける。電磁バルブは、コイルハウジング２２と、コイルハウジング底部に設けるコイル固定座２３と、コイル固定座に内設する可動コア２４と、可動コアに内設する弾性部材２５と、コイル固定座に内設する導磁体２６と、コイル固定座の外周に嵌設し、検知手段に接続するコイルセット２７とを含む。【選択図】図３
0003198268.tif 000002
【実用新案登録請求の範囲】
【請求項１】
蓄水室を具えるハウジングと、
該ハウジングの該蓄水室に対応する位置に設け、底部に排気孔を形成した電磁バルブと、
該ハウジングに内設し、該電磁バルブに連動する検知手段と、を含んでなることを特徴とする気圧制御用メーターの水分排出装置。
【請求項２】
前記ハウジングに、該検知手段を設ける収納部を設けるとともに、該蓄水室が該収納部に隣接して設けられることを特徴とする請求項１に記載の気圧制御用メーターの水分排出装置。
【請求項３】
前記収納部と該蓄水室との間に隔壁を設け、かつポリ塩化ビフェニルによってなり該収納部を密止する密封カバーを設けることを特徴とする請求項２に記載の気圧制御用メーターの水分排出装置。
【請求項４】
前記蓄水室内にフィルターを設けるとともに、該蓄水室の該隔壁に対向する一端に該フィルターを封止するフィルター洗浄カバーを設けることを特徴とする請求項２に記載の気圧制御用メーターの水分排出装置。
【請求項５】
前記電磁バルブが、コイルハウジングと、該コイルハウジング底部に設けるコイル固定座と、該コイル固定座に内設する可動コアと、該可動コアに内設する弾性部材と、該コイル固定座に内設する導磁体と、コイル固定座の外周に嵌設し、かつ該検知手段に接続するコイルセットとを含んでなるとともに。該コイル固定座に排気孔を形成し、該可動コアの底端に外周から該排気孔に連通する貫通孔を穿設し、該排気孔と該可動コアの該貫通孔との間にはパッキンを設けることを特徴とする請求項１に記載の気圧制御用メーターの水分排出装置。
【請求項６】
前記導磁体が、上端に螺合部を設け、かつ該螺合部を介して該蓄水室に接続することを特徴とする請求項５に記載の気圧制御用メーターの水分排出装置。
【請求項７】
前記検知手段が、該電磁バルブの該コイルセットに接続する制御ユニットと、該蓄水室に対応する位置に設け、かつ該制御ユニットに接続する検知ユニットと、該収納部の底端部に設け、かつ該制御ユニットに接続する電源接続座とを具えてなることを特徴とする請求項１に記載の気圧制御用メーターの水分排出装置。
【考案の詳細な説明】
【技術分野】
【０００１】
この考案は、気圧制御用メーター内の気体に含まれる水分を自動的に検知して排出する気圧制御用メーターの水分排出装置に関する。
【背景技術】
【０００２】
気圧制御用メーター（例えばエアーコンプレッサー、もしくは必要とする関連設備）を作動させる場合は、気圧制御用メーターの周囲の気体を吸入し、圧縮を行う。気圧制御用メーターが気体を吸入し、気体が出入りする毎に、気体に含まれる水分が気圧制御用メーター内に凝縮し、かつ灰塵、もしくは気体内に浮遊する不純物が堆積する。よって、気圧制御用メーターをある程度の期間使用した場合、メーターが詰まり、このためエア工具の効果が弱まることを防ぐために、メーター内部の水分、不純物などを除去しなければならない。
【０００３】
目下のメーターの手入れは、そのほとんどが気圧制御用メーターの気体収納筒に排水バルブを設け、気圧制御用メーターをある程度の期間使用した場合、手動で該排水バルブを開放して排水を行っている。係る方式は、
人力資源の浪費になるのみならず、不注意などの人的な要因で排水が不確実になるという欠点を有する。
【考案の概要】
【考案が解決しようとする課題】
【０００４】
この考案は、水分を自動的に検知し、確実に排水し、かつ不純物を効率よく除去して気圧制御用メーターの正確度を維持することのできる気圧制御用メーターの水分排出装置。
【課題を解決するための手段】
【０００５】
そこで、本考案者は従来の気圧制御用メーターの水分排出方法に見られる欠点に鑑み鋭意研究を重ねた結果、蓄水室を具えるハウジングと、
該ハウジングの該蓄水室に対応する位置に設け、底部に排気孔を形成した電磁バルブと、該ハウジングに内設し、該電磁バルブに連動する検知手段と、を含んでなる気圧制御用メーターの水分排出装置によって課題を解決できる点に着眼し、係る知見に基づいて本考案を完成させた。
【０００６】
以下この考案について説明する。請求項１に記載する気圧制御用メーターの水分排出装置は、蓄水室を具えるハウジングと、  該ハウジングの該蓄水室に対応する位置に設け、底部に排気孔を形成した電磁バルブと、該ハウジングに内設し、該電磁バルブに連動する検知手段と、を含んでなる。
【０００７】
請求項２に記載する気圧制御用メーターの水分排出装置は、請求項１におけるハウジングに、該検知手段を設ける収納部を設けるとともに、該蓄水室が該収納部に隣接して設けられる。
【０００８】
請求項３に記載する気圧制御用メーターの水分排出装置は、請求項２における収納部と該蓄水室との間に隔壁を設け、かつポリ塩化ビフェニルによってなり該収納部を密止する密封カバーを設ける。
【０００９】
請求項４に記載する気圧制御用メーターの水分排出装置は、請求項２における蓄水室内にフィルターを設けるとともに、該蓄水室の該隔壁に対向する一端に該フィルターを封止するフィルター洗浄カバーを設ける。
【００１０】
請求項５に記載する気圧制御用メーターの水分排出装置は、請求項１における電磁バルブが、コイルハウジングと、該コイルハウジング底部に設けるコイル固定座と、該コイル固定座に内設する可動コアと、該可動コアに内設する弾性部材と、該コイル固定座に内設する導磁体と、コイル固定座の外周に嵌設し、かつ該検知手段に接続するコイルセットとを含んでなるとともに。該コイル固定座に排気孔を形成し、該可動コアの底端に外周から該排気孔に連通する貫通孔を穿設し、該排気孔と該可動コアの該貫通孔との間にはパッキンを設ける。
【００１１】
請求項６に記載する気圧制御用メーターの水分排出装置は、請求項５における導磁体が、上端に螺合部を設け、かつ該螺合部を介して該蓄水室に接続する。
【００１２】
請求項７に記載する気圧制御用メーターの水分排出装置は、請求項１における検知手段が、該電磁バルブの該コイルセットに接続する制御ユニットと、該蓄水室に対応する位置に設け、かつ該制御ユニットに接続する検知ユニットと、該収納部の底端部に設け、かつ該制御ユニットに接続する電源接続座とを具えてなる。
【図面の簡単な説明】
【００１３】
【図１】この考案による気圧制御用メーターの水分排出装置の斜視図である。
【図２】図１に開示する気圧制御用メーターの水分排出装置の部分的内部構造を示した説明図である。
【図３】図１に開示する気圧制御用メーターの水分排出装置の分解図である。
【図４】図１に開示する気圧制御用メーターの水分排出装置の構造を示した断面図である。
【考案を実施するための形態】
【００１４】
この考案は、水分を自動的に検知し、確実に排水し、かつ不純物を効率よく除去して気圧制御用メーターの正確度を維持することのできる気圧制御用メーターの水分排出装置を提供するものであって、蓄水室を具えるハウジングと、該ハウジングの該蓄水室に対応する位置に設け、底部に排気孔を形成した電磁バルブと、該ハウジングに内設し、該電磁バルブに連動する検知手段と、を含んでなる。係る気圧制御用メーターの水分排出装置の構造と特徴を説明するために、具体的な実施例を挙げ、図面を参照にして以下に詳述する。
【実施例】
【００１５】
図１から図４に開示するように、この考案による気圧制御用メーターの水分排出装置は、ハウジング１と、電磁バルブ２と、検知手段３とによってなる。
【００１６】
ハウジング１は、収納部１１と、隔壁１３を介して収納部１１に隣接する蓄水室１２と、ポリ塩化ビフェニルによってなり、収納部１１を密止する密封カバー１４と、蓄水室１２内に設けるフィルター１５と、蓄水室１２の隔壁１３に対向する一端に設け、フィルター１５を封止するフィルター洗浄カバー１６とを具える。
【００１７】
電磁バルブ２は、ハウジング１の蓄水室１２に対応する位置に設け、底部に排気孔２１を具える。また、電磁バルブ２は、コイルハウジング２２と、コイルハウジング２２の底部に設けるコイル固定座２３と、コイル固定座２３に内設する可動コア２４と、可動コア２４に内設する弾性部材２５と、コイル固定座２３に内設する導磁体２６と、コイル固定座２３の外周に嵌設するコイルセット２７とを含んでなる。
【００１８】
排気孔２１は、コイル固定座２３に形成し、かつ可動コア２４の底端には、外周から排気孔２１に連通する貫通孔２４１を穿設する。また、排気孔２１と可動コア２４の貫通孔２４１との間にはパッキン２８を設ける。また、導磁体２６の上端に螺合部２６１を設け、螺合部２６１を介して蓄水室１２に接続する。
【００１９】
検知手段３は、電磁バルブ２に設けたコイルセット２７に接続する制御ユニット３１を具え、かつハウジング１の収納部１１内に設けて電磁バルブ２を連動させるとともに、収納部１１を密止する密封カバー１４によって、検知手段３を密封する。
【００２０】
検知手段３は、電磁バルブ２のコイルセット２７に接続する制御ユニット３１と、蓄水室１２に対応する位置に設け、かつ制御ユニット３１に接続する検知ユニット３２と、収納部１１の底端部に設け、かつ制御ユニット３１に接続する電源接続座３３とを具えてなる。
【００２１】
この考案による気圧制御用メーターの水分排出装置は、上述するとおり構成してなり、使用する場合は、気圧制御用メーターと、関連する設備（図示しない）に接続し、電源接続座３３に変圧器（図示しない）を介して外部の電源を接続し、作動に必要とする電力を供給する。
【００２２】
検知手段３の検知ユニット３２が蓄水室１２の気体に含まれる水分を検知すると、制御ユニット３１が電磁バルブ２のコイルセット２７を起動させ、コイルセット２７が励起して可動コア２４を連動して上方に移動させる。同時に、弾性部材２５を圧縮して導磁体２６を押し動かし、排気孔２１と可動コア２４との間のパッキン２８を動かして、水分を貫通孔２４１から排気孔２１に排出する。よって、気体に含まれる水分に対して、検知ユニット３２が自動的に、かつ敏感に検知し、これに反応し、気体に含まれる水分を確実に排出することができる。
【００２３】
また、フィルター１５の網の目は極めて細かくする。よって、水分を含む気体が蓄水室１２に進入すると、フィルター１５によって気体に含まれる不純物を濾過し、かつ水分を排出する動作を行う。このため、排水の過程において不純物の堆積を防ぐことができ、気圧制御用メーターの正確性を維持する機能に影響を与えることがなく、効率よく、水分と不純物を除去することができる。さらに、一定の使用期間を経過した後、フィルター洗浄カバー１６を開けることで、フィルター１５を洗浄するか、もしくは交換することができる。
【符号の説明】
【００２４】
１           ハウジング
１１         収納部
１２         蓄水室
１３         隔壁
１４         密封カバー
１５         フィルター
１６         フィルター洗浄カバー
２           電磁バルブ
２１         排気孔
２２         コイルハウジング
２３         コイル固定座
２４         可動コア
２４１       貫通孔
２５         弾性部材
２６         導磁体
２６１       螺合部
２７         コイルセット
２８         パッキン
３           検知手段
３１         制御ユニット
３２         検知ユニット
３３         電源接続座
【図１】
0003198268.tif 000003
【図２】
0003198268.tif 000004
【図３】
0003198268.tif 000005
【図４】
0003198268.tif 000006